(57)【要約】      （修正有）【課題】プラグの操作部によって外観が損なわれにくいライティングレールに取り付けられる照明装置を提供する。【解決手段】照明装置１は、平板部１１および平板部１１の上面１１ａの内方側に平板部１１と一体に設けられた平板状の段部１２を有する蓋部７と、平板部１１の下面１１ｂと対向する底部８とを有する箱状に形成された器体３と、底部８側に取り付けられた光源を有する装置本体４と、回動操作される操作レバー３４を有し、操作レバー３４が段部１２の側部１２ｅ側から導出されるとともに平板部１１の外周縁よりも内方に位置し、段部１２の上面１２ａから突出するように蓋部７に取り付けられて器体３内に収納され、操作レバー３４の回動によりライティングレールに取り付けられるとともに電気接続されるプラグ５と、を具備している。【選択図】図４
2015076347.tif 000002
【特許請求の範囲】
【請求項１】
平板部およびこの平板部の上面の内方側に前記平板部と一体に設けられた平板状の段部を有する蓋部と、前記平板部の下面と対向する底部とを有する箱状に形成された器体と；  前記底部側に取り付けられた光源を有する装置本体と；  回動操作される操作レバーを有し、この操作レバーが前記段部の側部側から導出されるとともに前記平板部の外周縁よりも内方に位置し、前記段部の上面から突出するように前記蓋部に取り付けられて前記器体内に収納され、前記操作レバーの回動によりライティングレールに取り付けられるとともに電気接続されるプラグと；を具備していることを特徴とする照明装置。
【請求項２】
前記器体は、前記底部が一体に設けられた本体部と、この本体部に着脱可能に取り付けられる前記蓋部とを有してなり、前記本体部内に前記光源を点灯する点灯装置を収納していることを特徴とする請求項１記載の照明装置。
【発明の詳細な説明】
【技術分野】
【０００１】
本発明の実施形態は、ライティングレールに着脱可能に取り付けられる照明装置に関する。
【背景技術】
【０００２】
この種の照明装置には、ライティングレールに取り付けられる器体（電源部）と、この器体の底部に取り付けられるアームと、このアームに回動可能に取り付けられる灯体（装置本体）とを有するものがある（例えば特許文献１参照。）。そして、灯体は、ＬＥＤなどの光源が設けられ、器体は、光源を点灯する点灯装置が配設されている。また、器体は、プラグ（接続体）が設けられており、このプラグがライティングレールに取り付けられることにより、器体がライティングレールに取り付けられるとともに、点灯装置がライティングレールから外部電源を給電するようになっている。  
【０００３】
プラグは、例えば、回動操作される操作部、この操作部の回動によって回動してライティングレールの導電部に電気接続される給電部およびライティングレールの被係止部に係止される係止部などを有して形成されている。そして、プラグは、例えば特許文献１に示すように、操作部が器体の外側となるように設けられており、ライティングレールへの着脱が容易にできるようにしている。
【先行技術文献】
【特許文献】
【０００４】
【特許文献１】特開２０１２−１８６０２９号公報（第４頁、第１図）
【発明の概要】
【発明が解決しようとする課題】
【０００５】
灯体は、器体に対して前後左右に回動されて設けられているので、器体の外側にあるプラグの操作部は、灯体を見上げたときに視認されやすい。これにより、照明装置の外観が損なわれるおそれがある。  
【０００６】
本実施形態は、プラグの操作部によって外観が損なわれにくいライティングレールに取り付けられる照明装置を提供することを目的とする。
【課題を解決するための手段】
【０００７】
本実施形態の照明装置は、器体、装置本体およびプラグを有して構成される。  
【０００８】
器体は、蓋部および底部を有する箱状に形成されている。蓋部は、平板部と段部を有してなり、段部が平板部の上面の内方側に平板部と一体に設けられた平板状に形成されている。装置本体は、光源を有してなり、器体の底部側に取り付けられている。  
【０００９】
プラグは、回動操作される操作レバーを有してなる。この操作レバーは、器体の蓋部の段部の側部側から導出されるとともに蓋部の平板部の外周縁よりも内方に位置するように設けられている。そして、プラグは、蓋部の段部の上面から突出するように蓋部に取り付けられて器体内に収納されており、操作レバーの回動によりライティングレールに取り付けられるとともに電気接続されるように形成されている。
【発明の効果】
【００１０】
本実施形態の照明装置によれば、プラグの操作レバーは、器体の蓋部の段部の側部側から導出されるとともに蓋部の平板部の外周縁よりも内方に位置するので、蓋部の段部が操作レバーを回動操作するときの蓋部の平板部とライティングレールとの間のスペースを確保するとともに、照明装置を下方から見上げたときに、操作レバーが器体に隠れて見えにくくなり、これにより、器体側における外観が損なわれにくくなることが期待できる。
【図面の簡単な説明】
【００１１】
【図１】本発明の実施形態を示す照明装置の下側から見た概略斜視図である。
【図２】同上、照明装置の上側から見た概略斜視図である。
【図３】同上、照明装置の概略上面図である。
【図４】同上、照明装置の上側から見た一部分解の概略斜視図である。
【図５】同上、照明装置の下側から見た一部分解の概略斜視図である。
【図６】同上、蓋部の下側から見た概略斜視図である。
【図７】同上、プラグのライティングレールへの取付けを示し、（ａ）は取付け前の概略断面図、（ｂ）は取付け後の概略断面図である。
【発明を実施するための形態】
【００１２】
以下、本発明の一実施の形態について、図面を参照して説明する。  
【００１３】
本実施形態の照明装置１は、図１または図２に示すように、ライティングレール２に取り付けられるスポットライトである。照明装置１は、図４に示すように、器体３、装置本体４およびプラグ５を有して構成されている。  
【００１４】
器体３は、本体部６および蓋部７を有してなる。本体部６は、比較的軽量である金属例えばアルミニウム（Ａｌ）からなり、例えばダイキャストにより、平板状の底部８が一体に設けられた略長方形の箱状に形成されている。本体部６の長手方向の一方の側面６ａは、本体部６の短手方向で外側に小さく突出する円弧状面に形成されている。本体部６内の４隅には、ねじ孔９を有するボス１０が設けられている。  
【００１５】
蓋部７は、例えばアルミダイキャストにより、それぞれ平板状の平板部１１および段部１２に形成されている。平板部１１は、略長方形に形成され、その長手方向の一方の端面１１ｃが本体部６の側面６ａに沿う円弧状面に形成されている。  
【００１６】
段部１２は、平板部１１と一体に設けられたものであり、平板部１１の上面１１ａに所定の高さとなるように外方に突出形成され、上面１２ａが平板部１１よりも小さい略長方形に形成されている。すなわち、段部１２は、平板部１１の上面１１ａの内方側に設けられている。そして、段部１２は、その長手方向両端側１２ｃ，１２ｄの側部１２ｅ，１２ｆに開口１３，１４が形成されている。開口１３は、平板部１１の端面１１ｃに沿う円弧状の形状に形成されている。また、段部１２の上面１２ａには、長手方向の一端側１２ｃにプラグ５が挿通される不図示の挿通孔が形成され、長手方向の他端側１２ｄに長方形の凹部１５が開口１４に臨むようにして比較的浅く形成されている。  
【００１７】
そして、平板部１１の４隅は、上面１１ａから浅く凹んだ段差部１６に形成されている。この段差部１６にねじの取付孔１７が形成されている。この取付孔１７を通したねじ１８（図２に示す。）が本体部６のねじ孔９に完全にねじ込まれる。これにより、蓋部７は、本体部６内を閉塞するようにして本体部６に取り付けられる。そして、ねじ１８をねじ孔９から取り外すことにより、蓋部７は、本体部６から取り外される。こうして、蓋部７は、ねじ１８により、本体部６に着脱可能に取り付けられている。蓋部７は、本体部６に取り付けられたときに、平板部１１の下面１１ｂが本体部６の底部８と対向（正対）するものである。  
【００１８】
本体部６内には、後述する光源としてのＬＥＤ２１を点灯する点灯装置１９が収納されている。点灯装置１９は、基板２０およびこの基板２０に実装された不図示の電子部品などを有して形成されている。基板２０は、本体部６の底部８に不図示の取付け手段により取り付けられている。  
【００１９】
点灯装置１９は、本実施形態では、ＬＥＤ２１に複数段の電流を供給するように形成されている。すなわち、点灯装置１９は、ＬＥＤ２１を調光可能に形成されている。例えば、ＬＥＤ２１を１００％（全光）、７０％、５０％、３０％に段調光できるように、または、０％（消灯）〜１００％間で連続調光できるように形成されている。そして、点灯装置１９は、当該調光を切換スイッチＤＳＷの操作によって行うように形成されている。  
【００２０】
器体３の本体部６の長手方向の他方の側面６ｂには、底部８と反対側の上端側に長方形の切り欠き部３Ａが形成されている。本体部６は、その両側面６ａ，６ｂが底部８から反対側の上端側（蓋部７側）に向かうにつれ、若干拡開するように形成されている。また、切り欠き部３Ａが上端側に設けられることにより、本体部６は、鋳造等により容易に形成可能となっている。  
【００２１】
そして、切換スイッチＤＳＷは、当該切り欠き部３Ａ内に設けられるようにして点灯装置１９に接続されている。また、切換スイッチＤＳＷは、本体部６の側面６ｂから幾分外方に突出するように設けられている。切換スイッチＤＳＷは、図１に示すように、器体３がライティングレール２に取り付けられたとき、手動で操作可能となっている。  
【００２２】
切換スイッチＤＳＷは、器体３の短手方向で手動操作により移動（スライド）される。点灯装置１９は、切換スイッチＤＳＷの切り欠き部３Ａ内の位置に応じて、ＬＥＤ２１に供給する電流を変化させる。これにより、ＬＥＤ２１は、調光点灯される。そして、ＬＥＤ２１は、装置本体４内に設けられている。  
【００２３】
装置本体４は、光源としてのＬＥＤ２１、筐体２２および放熱器２３を有して形成されている。筐体２２および放熱器２３は、個別に例えばアルミダイキャストにより形成されているものであり、不図示のねじにより一体に結合されている。ＬＥＤ２１は、例えば白色光を放射するパッケージ品であり、不図示の円盤状の基板に実装されている。ＬＥＤ２１は、その複数個が基板に例えば同心円状に配置されている。  
【００２４】
筐体２２は、次第に径大する略円筒状に形成され、円形状の開口２４を有している。そして、筐体２２は、ＬＥＤ２１の放射光が開口２４から前方に出射するように、ＬＥＤ２１が実装された基板を収納している。当該基板の開口２４側には、ＬＥＤ２１に正対する不図示のレンズが形成された透光性の前面カバー２５が設けられている。前面カバー２５は、例えばポリカーボネート（ＰＣ）樹脂からなり、例えば射出成形により、有底の円筒体に形成されている。  
【００２５】
放熱器２３は、複数個の放熱フィン２６を有して形成されている。放熱フィン２６は、板状であって、略三角形に形成されている。そして、放熱フィン２６は、図５に示すように、連結体２７を介してアーム２８に取り付けられている。  
【００２６】
アーム２８は、装置本体４を器体３から所定の位置に離すとともに器体３に対して０°〜３６０°回動させるものである。アーム２８は、一端側に回動部２９、他端側に垂直回転軸部３０，３０を有し、例えばアルミダイキャストにより剛体に形成されている。そして、回動部２９が器体３の底部８に、底部８に沿って０°〜３６０°回動可能に取り付けられ、垂直回転軸部３０，３０が連結体２７の軸部３１，３１（図５中、一方のみを示す。）に器体３に対して上下方向に回動可能に取り付けられている。こうして、装置本体４は、連結部２７およびアーム２８を介して器体３の底部８側に取り付けられている。  
【００２７】
そして、点灯装置１９の不図示の出力線は、アーム２８内を通って連結体２７から放熱フィン２６，２６間に配線されて、筐体２２内のＬＥＤ２１に接続されている。ＬＥＤ２１は、点灯装置１９から電力が給電されて点灯する。  
【００２８】
プラグ５は、図６に示すように、ねじ３２，３２により、蓋部７の段部１２に取り付けられている。段部１２には、一対の取付け体３３，３３が垂下して設けられている。プラグ５は、図５に示すように、回動操作される操作レバー３４および引掛けレバー３５を有する操作回転体３６と、係止レバー３７を有する係止回転体３８と、プラグ５の本体である円柱体３９と、平板状の回転金具４０と、平板状のベース金具４１と、固定用ねじ４２とを有して形成されている。  
【００２９】
そして、円柱体３９は、剛性であって電気絶縁性を有する合成樹脂例えばポリブチレンテレフタレート（ＰＢＴ）樹脂からなり、一端側３９ａの端面３９ｃに、図４に示すように、一対の給電部４３，４３および一対の係止部４４，４４がそれぞれ同方向となるように設けられている。一対の給電部４３，４３は、例えば銅からなり、互いに反対方向に突出する突出片に形成されている。また、一対の係止部４４，４４は、円柱体３９に連続する一体物に設けられて、互いに反対方向に突出する突出片に形成されている。また、端面３９ｃ側には、板状の段部４５が押圧により円柱体３９の他端側３９ｂの方向に移動し、当該押圧の解除により弾性復帰可能に設けられている。そして、図５に示すにように、円柱体３９の他端側３９ｂの端面３９ｄには、ねじ孔４６が設けられている。  
【００３０】
円柱体３９の端面３９ｄには、ベース金具４１の通孔４７および回転金具４０の通孔４８を通した固定用ねじ４２がねじ孔４６にねじ込まれている。そして、円柱体３９は、
係止回転体３８および操作回転体３６を挿通して、蓋部７の段部１２に形成された不図示の取付け孔に端面３９ｃが露出するようにし、ベース金具４１の取付け孔４９，４９を通したねじ３２，３２が蓋部７の取付け体３３，３３のねじ孔５０，５０にねじ込まれる。このとき、操作回転体３６の操作レバー３４は、前もって段部１２の開口１３から外方に導出させている。これにより、プラグ５は、段部１２の上面１２ａから一対の給電部４３，４３および一対の係止部４４，４４が突出するように蓋部７に取り付けられる。操作回転体３６は、円柱体３９の端面３９ｃを段部１２の上面１２ａから幾分突出させるように形成されている。  
【００３１】
また、プラグ５は、操作回転体３６、係止回転体３８、円柱体３９および回転金具４０が蓋部７の段部１２およびベース金具４１により挟持されて取り付けられるとともに、操作回転体３６の引掛けレバー３５の先端側３５ａが回転金具４０の切り欠き部５１に挿通し、ベース金具４１の案内孔４１Ａを挿通し、係止回転体３８の係止レバー３７の先端側が段部１２の上面１２ａから突出するように形成されている。  
【００３２】
そして、プラグ５の操作レバー３４は、図３に示すように、蓋部７の平板部１１の外周縁１１ｄよりも内方に位置するように形成されているとともに、図４に示すように、段部１２の側部１２ｅの開口１３で段部１２の短手方向に回動可能に形成されている。操作レバー３４が回動されることにより、引掛けレバー３５の先端側３５ａに引っ掛けられた回転金具４０が操作レバー３４に付随して操作レバー３４の回動方向に回転し、固定用ねじ４２により回転金具４０を固定している円柱体３９も操作レバー３４の回動方向に回転する。引掛けレバー３５の先端側３５ａは、ベース金具４１の案内孔４１Ａに沿って移動する。そして、開口１３は、操作レバー３４が両端側１３ａ，１３ｂに回動されたときに、円柱体３９が自身を回転軸として９０°回転するように、両端側１３ａ，１３ｂ間が設定されている。そして、プラグ５は、操作レバー３４が開口１３の一端側１３ａに位置すると、一対の給電部４３，４３および一対の係止部４４，４４が段部１２の短手方向を向き、操作レバー３４が開口１３の他端側１３ｂに位置すると、一対の給電部４３，４３および一対の係止部４４，４４が段部１２の長手方向を向くように取り付けられている。  
【００３３】
そして、操作レバー３４が開口１３の一端側１３ａに位置するときに、すなわち、一対の給電部４３，４３および一対の係止部４４，４４が段部１２の短手方向を向くときに、係止回転体３８の係止レバー３７の先端側の爪部３７ａが円柱体３９の段部４５上に近接するように形成されている。これにより、プラグ５は、操作レバー３４が開口１３の一端側１３ａに位置するときには、ライティングレール２において、段部４５により不所望に回動しないように固定される。  
【００３４】
なお、プラグ５をライティングレール２から取り外すときには、操作レバー３４を押下し、係止レバー３７（係止回転体３８）が円柱体３９の他端側３９ｂの方向に移動して、爪部３７ａが段部４５に係止（当接）して段部４５を爪部３７ａとともに円柱体３９の端面３９ｃ以下となるように弾性移動させる。この後、操作レバー３４を開口１３の一端側１３ａから他端側１３ｂに回動させる。補助係止体５２に対しては、操作棒５６を開口１４の他端側１４ｂから一端側１４ａに回動させる。  
【００３５】
そして、本実施形態では、蓋部７は、段部１２の長手方向の他端側１２ｄに形成された凹部１５に補助係止体５２が設けられている。補助係止体５２は、図５に示すように、上面側に長方形の係止板５３および下面側に円柱状の回転軸５４を有する係止回動体５５と、操作棒５６を有する操作体５７とを有して形成されている。そして、係止回動体５５の回転軸５４を凹部１５に形成された取付け孔５８に挿通させて、ねじ５９およびナット６０により、操作体５７を回転軸５４に結合させている。このとき、操作体５７の操作棒５６は、図４に示すように、前もって段部１２の開口１４から外方に導出させておく。そして、操作棒５６が開口１４の他端側１４ｂに位置するときに、係止回動体５５の係止板５３が段部１２の短手方向を向き、操作棒５６が開口１４の一端側１４ａに位置するときに、係止回動体５５の係止板５３が段部１２の長手方向を向くように、係止回動体５５および操作体５７が結合されている。また、操作棒５６は、図３に示すように、蓋部７の平板部１１の外周縁１１ｅよりも内方に位置し、平板部１１から外方に突出しないように形成されている。  
【００３６】
プラグ５は、円柱体３９内において一対の給電部４３，４３に不図示の一対の電源線が接続されており、この電源線が円柱体３９から導出されている。当該電源線は、蓋部７がねじ１８により本体部６に取り付けられるときに、点灯装置１９の入力線として点灯装置１９に接続される。プラグ５は、蓋部７に取り付けられて器体３内に収納されている。そして、プラグ５および補助係止体５２は、図１に示すように、器体３と一体となってライティングレール２に取り付けられている。すなわち、照明装置１は、ライティングレール２に取り付けられている。  
【００３７】
プラグ５は、一対の給電部４３，４３および一対の係止部４４，４４が、図７（ａ）に示すように、ライティングレール２のレール溝６１に挿入された状態で、操作レバー３４が開口１３の他端側１３ｂから一端側１３ａの位置に回動操作される。この操作レバー３４の回動に付随して、円柱体３９が９０°回転し、一対の給電部４３，４３および一対の係止部４４，４４もレール溝６１内で９０°回転する。これにより、図７（ｂ）に示すように、一対の係止部４４，４４がライティングレール２の係止レール部６２，６２に係止し、一対の給電部４３，４３が導電レール部６３，６３に電気接続する。こうして、プラグ５は、ライティングレール２に取り付けられているとともに電気接続されている。  
【００３８】
また、補助係止体５２は、その係止回動体５５の係止板５３がライティングレール２のレール溝６１に挿入された状態で、操作体５７の操作棒５６が開口１４の一端側１４ａから他端側１４ｂの位置に回動操作される。この操作棒５６の回動に付随して、係止回動体５５が９０°回転し、係止板５３がレール溝６１内で９０°回転する。こうして、補助係止体５２は、係止板５３がライティングレール２の係止レール部６２，６２に係止して、ライティングレール２に取り付けられている。  
【００３９】
器体３は、上述したように、プラグ５および補助係止体５２の両方でライティングレール２に取り付けられている。これにより、照明装置１は、ライティングレール２に安定して取り付けられている。  
【００４０】
次に、本実施形態の作用について述べる。  
【００４１】
照明装置１をライティングレール２に取り付けるときには、上述したように、プラグ５の操作レバー３４が段部１２の開口１３の他端側１３ｂに位置するようにし、一対の給電部４３，４３および一対の係止部４４，４４が段部１２の長手方向を向くようにする。また、補助係止体５２の操作棒５６が段部１２の開口１４の一端側１４ａに位置するようにし、係止板５３が段部１２の長手方向を向くようにする。  
【００４２】
そして、操作回転体３６の操作レバー３４を押下して係止回転体３８を押圧する。係止回転体３８は、係止レバー３７の爪部３７ａが円柱体３９の段部４５に当接し、段部４５とともに円柱体３９の他端側３９ｂの方向に移動する。そして、段部４５および爪部３７ａが円柱体３９の端面３７ａよりも突出しなくなる状態にする。この後、プラグ５の一対の給電部４３，４３および一対の係止部４４，４４と、補助係止体５２の係止板５３とをライティングレール２のレール溝６１に挿入して、器体３をライティングレール２に沿わせるとともに、操作レバー３４の押下を解除する。  
【００４３】
円柱体３９の段部４５は、その弾性復帰力により、ライティングレール２の下面２ｂに当接する。ここで、器体３の蓋部７は、平板部１１の上面１１ａに段部１２を有して形成されているので、図１に示すように、ライティングレール２の下面２ｂと、平板部１１の上面１１ａとの間には、相応のスペース６４が形成されている。このスペース６４は、プラグ５の操作レバー３４および補助係止体５２の操作棒５６をそれぞれ人の指で回動操作させるのに支障のない空間となっている。すなわち、操作レバー３４および操作棒５６は、容易に回動操作できる。  
【００４４】
プラグ５の操作レバー３４を段部１２の開口１３の他端側１３ｂから一端側１３ａに回動操作し、補助係止体５２の操作棒５６を段部１２の開口１４の一端側１４ａから他端側１４ｂに回動操作させる。これにより、プラグ５の一対の係止部４４，４４がライティングレール２の係止レール部６２，６２に係止し、補助係止体５２の係止板５３が同じく係止レール部６２，６２に係止する。  
【００４５】
器体３は、蓋部７の段部１２の長手方向両端側１２ｃ，１２ｄにおいてプラグ５および補助係止体５２によってライティングレール２に取り付けられる。したがって、照明装置１は、安全かつ安定して、ライティングレール２に取り付けられる。  
【００４６】
そして、プラグ５は、その一対の係止部４４，４４がライティングレール２の係止レール部６２，６２に係止したときに、円柱体３９の段部４５は、ライティングレール２のレール溝６１に挿入して位置する。これにより、器体３に地震などの振動が加わっても、段部４５がレール溝６１の縁部に当接するので、円柱体３９は、回動しなくなり、回動しても微動となる。すなわち、プラグ５は、ライティングレール２に取り付けられた状態で、回動しなくなり、不所望にライティングレール２から取り外れることが防止される。  
【００４７】
プラグ５の操作レバー３４および補助係止体５２の操作棒５６は、蓋部７の平板部１１の外周縁１１ｄ，１１ｅよりも内方に位置するように形成されている。したがって、照明装置１を見上げたときに、操作レバー３４および操作棒５６は、器体３により遮られて見えにくい。したがって、照明装置１は、器体３側における外観性が向上する。  
【００４８】
そして、プラグ５がライティングレール２に取り付けられると、一対の給電部４３，４３がライティングレール２の導電レール部６３，６３に接触して電気接続される。器体３内に収納されている点灯装置１９は、プラグ５を介して外部電源を給電可能となる。そして、ライティングレール２に外部電源が投入されると、点灯装置１９は、動作して、所定の電力を装置本体４内のＬＥＤ２１に供給する。ＬＥＤ２１は、点灯して白色光を放射する。この白色光は、前面カバー２５で制光されて、筐体２２の開口２４から筐体２２の前方に出射する。  
【００４９】
装置本体４は、アーム２８の回動部２９が器体３の底部８に対して回動され、装置本体４を連結している連結体２７がアーム２８に対して回動されることにより、筐体２２の開口２４が所望の方向に向けられる。したがって、ＬＥＤ２１から放射された白色光は、所望の方向に向かって照射可能である。  
【００５０】
そして、ＬＥＤ２１を調光させるには、器体３の側面６ｂ側に設けられている切換スイッチＤＳＷを手動操作により所望の位置に移動（スライド）させる。器体３内に設けられた点灯装置１９は、切換スイッチＤＳＷの停留位置に応じた電流（電力）をＬＥＤ２１に供給して、ＬＥＤ２１を調光点灯させる。ＬＥＤ２１から調光レベルに応じた白色光が放射される。  
【００５１】
切換スイッチＤＳＷは、器体３の側面６ｂから幾分突出するように設けられているので、照明装置１がライティングレール２に取り付けられた状態でも容易に手動操作できる。また、切換スイッチＤＳＷは、器体３の底部８と反対側の側面６ｂの上端側に設けられているので、照明装置１を見上げたときの器体３側における外観性が損なわれにくい。  
【００５２】
本実施形態の照明装置１によれば、プラグ５の操作レバー３４は、器体３の蓋部７の段部１２の開口１３から導出されるとともに蓋
部７の平板部１１の外周縁１１ｄよりも内方に位置し、補助係止体５２の操作棒５６は、蓋部７の段部１２の開口１４から導出されるとともに蓋部７の平板部１１の外周縁１１ｅよりも内方に位置するので、蓋部７の段部１２が操作レバー３４および操作棒５６をそれぞれ回動操作するときの蓋部７の平板部１１とライティングレール２との間のスペース６４を確保するとともに、照明装置１を下方から見上げたときに、操作レバー３４および操作棒５６が器体３に隠れて見えにくくなり、これにより、器体３側における外観性が向上するという効果を有する。  
【００５３】
また、器体３は、底部８が一体に設けられた本体部６と、本体部６に着脱可能に取り付けられる蓋部７とを有して形成されているので、プラグ５および補助係止体５２を蓋部７に容易に取り付けて器体３内に収納することができて、かつ点灯装置１９を収納することができるという効果を有する。  
【００５４】
なお、本実施形態において、補助係止体５２は、設けなくてもよいものである。この場合、照明装置１は、プラグ５のみによりライティングレール２に取り付けられる。プラグ５は、単独でも照明装置１をライティングレール２に取り付けることができる。  
【００５５】
また、操作レバー３４および操作棒５６は、照明装置１がライティングレール２に取り付けられているときに、蓋部７の平板部１１の外周縁１１ｄ，１１ｅよりも内方に位置するように形成されていればよく、回動操作されているときに、平板部１１の外周縁１１ｄ，１１ｅから外方に突出する大きさに形成されていてもよい。  
【００５６】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５７】
１…照明装置、  ３…器体、  ４…装置本体、  ５…プラグ、  ６…本体部、  ７…蓋部、  ８…底部、  １１…平板部、  １２…段部、  ２１…光源としてのＬＥＤ、  １９…点灯装置、  ３４…操作レバー
【図１】
2015076347.tif 000003
【図２】
2015076347.tif 000004
【図３】
2015076347.tif 000005
【図４】
2015076347.tif 000006
【図５】
2015076347.tif 000007
【図６】
2015076347.tif 000008
【図７】
2015076347.tif 000009